(57)【要約】      （修正有）【課題】駅構内などで使用される電車等の発車ベルなどの警告音、報知音とアナウンス音声が重複した際に、両者の情報を使用者に的確に知らせる。【解決手段】音声信号の所定の周波数成分を通過させるフィルタ部と、特定の時刻の前後に複数の時間フレームを形成するフレーム分割部と、フレーム内の音声信号のパワーをそれぞれ算出するパワー算出部と、パワーの変化率を算出するパワー変化率算出部と、パワー変化率から入力音声信号を増幅するか否かを決定する増幅決定部と、前記パワー変化率に基づいて増幅度を算出する増幅度算出部と、増幅度に応じて入力音声を増幅する音声増幅部を含むようにした。並列に配置された互いに通過帯域が異なる複数のくし型フィルタユニットを含み、異なる音信号をそれぞれ異なる前記通過帯域が異なるくし型フィルタに通して出力するようにし、アナウンス音声と警告音を使用者に的確に知らせるようにした。【選択図】図１
2008085520.tif 000002
【特許請求の範囲】
【請求項１】
入力された音声信号の所定の周波数成分を通過させるフィルタ部と、前記フィルタ部を通過した音声信号の特定の時刻の前後に複数の時間フレームを形成するフレーム分割部と、前記フレーム分割部で分割されたフレーム内の音声信号のパワーをそれぞれ算出するパワー算出部と、前記パワー算出部で算出されたそれぞれのパワーからパワーの変化率を算出するパワー変化率算出部と、前記パワー変化率算出部で算出されたパワー変化率から入力音声信号を増幅するか否かを決定する増幅決定部と、前記増幅決定部で増幅すると決定された場合に前記パワー変化率に基づいて増幅度を算出する増幅度算出部と、前記増幅度算出部で算出された増幅度に応じて入力音声を増幅する音声増幅部を備えたことを特徴とする放送装置。
【請求項２】
入力された音声信号を並列に配置された通過帯域の異なる複数のフィルタに通過させるフィルタ部と、前記フィルタ部を通過したそれぞれの音声信号の特定の時刻の前後に複数の時間フレームを形成するフレーム分割部と、前記フレーム分割部で分割されたフレーム内の音声信号のパワーをそれぞれ算出するパワー算出部と、前記パワー算出部で算出されたそれぞれのパワーからパワーの変化率を算出するパワー変化率算出部と、前記パワー変化率算出部で算出されたパワー変化率から入力音声信号を増幅するか否かを決定する増幅決定部と、前記増幅決定部で増幅すると決定された場合に、前記フィルタ部を通過したそれぞれの音声信号に対するパワー変化率に基づいて増幅度を算出する増幅度算出部と、前記増幅度算出部で算出された増幅度に応じて入力音声を増幅する音声増幅部を備えたことを特徴とする放送装置。
【請求項３】
前記パワー変化率算出部が、前記パワー算出部で算出された前記フィルタ部を通過したそれぞれの音声信号のパワーの比率を算出し、この比率に基づいて前記パワー変化率を算出することを特徴とする請求項２に記載の放送装置。
【請求項４】
前記増幅度算出部が、前記フィルタ部を通過したそれぞれの音声信号に対するパワー変化率に基づいて算出された増幅度の平均値を増幅度とすることを特徴とする請求項２または３に記載の放送装置。
【請求項５】
前記増幅度算出部が、前記フィルタ部を通過したそれぞれの音声信号に対するパワー変化率に基づいて算出された増幅度の最大値を増幅度とすることを特徴とする請求項２または３に記載の放送装置。
【請求項６】
前記増幅決定部で増幅すると決定された場合に、前記特定の時刻の前後に音声信号の増幅区間を特定するための増幅区間特定部を備え、前記増幅区間内の音声信号に関して前記増幅度算出部で算出された増幅度の平均値を、前記増幅区間内の一部又は全部の音声信号に対する増幅度とすることを特徴とする請求項１〜５のいずれかに記載の放送装置。  
【請求項７】
前記増幅決定部で増幅すると決定された場合に、前記特定の時刻の前後に音声信号の増幅区間を特定するための増幅区間特定部を備え、前記増幅区間内の音声信号に関して前記増幅度算出部で算出された増幅度の最大値を、前記増幅区間内の一部又は全部の音声信号に対する増幅度とすることを特徴とする請求項１〜５のいずれかに記載の放送装置。
【請求項８】
並列に配置された互いに通過帯域が異なる複数のくし型フィルタからなるくし型フィルタユニットを備え、異なる音信号をそれぞれ異なる前記通過帯域が異なるくし型フィルタに通して出力する放送装置。
【請求項９】
前記くし型フィルタユニットを、複数従属接続したことを特徴とする請求項８に記載の放送装置。
【請求項１０】
請求項８、９のいずれかに記載の放送装置において、入力信号が音声信号の場合に、前記音声信号の特定の部分を増幅する音声強調部と、前記音声強調部における増幅度に応じて前記くし型フィルタの周波数特性を調整するフィルタ特性調整部を備えたことを特徴とする放送装置。
【発明の詳細な説明】
【技術分野】
【０００１】
本発明は、駅構内などで使用される電車等の発車ベルなどの警告音、報知音とアナウンス音声が重複した際に、両者の情報を使用者に的確に知らせるための公共放送装置に関する。
【背景技術】
【０００２】
都会など多くの電車が行き来する場所では、駅構内の発車ベル等の警告音、報知音と、発車時のアナウンスが同時に鳴らされることが多い。これらの音は、その構成周波数成分を同一帯域に有している場合が多く、必要なアナウンスが極めて聞き取りづらくなっている。そのため、さらにアナウンスの音量を上げるという悪循環から、構内に響く様々な音の音量が相対的に上げられ、ますます全体の騒音が増している。
【０００３】
構内アナウンス、発車ベル、エレベーターの到着音など異なる役割の音が、無秩序に共存することで、音源同士がぶつかりあい、必要な情報が得られないというケースが頻発しているのが現状である。
【０００４】
駅構内などでは、発車ベルとアナウンスとをあえて違うタイミングで流したり、アナウンスを流すときには発車ベルの音量を下げるなどの措置を施している場合もある。
【０００５】
このような状況下においては、聴力が低下してきた高齢者や聴覚障害者にとっては、必要なアナウンスや発車ベルを聞き分けるのは困難である。特に視覚障害者にとっては、音による誘導が駅構内における情報の大部分を占めるので、適切な情報を明瞭に伝達できるような環境を構築する事が強く望まれている。
【０００６】
一方、平成12年に施行された交通バリアフリー法では、視覚障害者に案内を行う設備の例示として「音による案内」が加えられ、公共空間における音声誘導の導入なども記述されており、福祉社会における音による情報伝達の重要性が高まってきている。近年は、短いメロディや電子音によって特定の行動や意味を、言葉ではなく音に置き換えることによって、場所や方向などの情報を伝えるため音サインの導入も各所で検討されてきている。
【０００７】
特許文献１には、音声を入力する手段と、音声を分析して加工する手段と、音声を再生して出力する手段を有する音響処理装置において、音声波形から音声の音響的特徴量を計算する特徴量計算部と、該音響的特徴量の単位時間あたりの時間変化量を計算する特徴量変化量計算部と、該時間変化量を変更する時間変化量変更部と、該変更後時間変化量を用いて該音響的特徴量を変更する音響的特徴量変更部と、該変更後音響的特徴量から音声波形を再構築する波形再構築部を有する音声強調方法および装置に関する記載がある。
【特許文献１】特開平８−１１０７９６
【発明の開示】
【発明が解決しようとする課題】
【０００８】
発車ベルとアナウンスとを違うタイミングで流したり、アナウンスを流すときには発車ベルの音量を下げるなどの処置は最も有効な措置ではあるが、電車の到着のタイミングなど、適切な情報伝達のために、やむをえず両者を重ねなければならなかったり、他のアナウンスなどが交じって聞こえてしまうケースも多い。
【０００９】
特に、このような状況下において、視覚障害者や、老人性難聴によって言葉の聞き取り能力が低下した高齢者へ十分な情報伝達を行う技術は確立されてないのが現状である。
【００１０】
また、サイン音の導入は有益な一方策ではあるが、インフラ整備やサイン音の種類と内容の周知徹底など、普及させるには大変な時間と労力が必要となる上に、現在の発車ベルやアナウンスの音量では、このような誘導音も十分に伝達できない場合も多い。
【００１１】
特許文献１には、音声の音響的特徴の時間変化の変更、発話速度および時間変化の同時変更、周波数特性および時間変化の同時変更、および、発話速度、周波数特性、時間変化の同時変更に関する技術については詳細に記載されているが、騒音下や発車ベル等の鳴り響く環境下で聞き落としやすい子音等の音声情報のみを選択的に増幅し、音声の音量を不必要に上げることなく、且つ、音声の自然性を損なわずにアナウンス等の内容を明瞭に伝達する手段などについての開示も示唆も無い。
【課題を解決するための手段】
【００１２】
上記の課題を解決するために、本発明は、駅構内などで使用される電車等の発車ベルなどの警告音、報知音とアナウンス音声が重複した際に、両者の情報を使用者に的確に知らせる放送装置に関して、以下の構成とした。  
【００１３】
放送装置において、入力された音声信号の所定の周波数成分を通過させるフィルタ部と、前記フィルタ部を通過した音声信号の特定の時刻の前後に複数の時間フレームを形成するフレーム分割部と、前記フレーム分割部で分割されたフレーム内の音声信号のパワーをそれぞれ算出するパワー算出部と、前記パワー算出部で算出されたそれぞれのパワーからパワーの変化率を算出するパワー変化率算出部と、前記パワー変化率算出部で算出されたパワー変化率から入力音声信号を増幅するか否かを決定する増幅決定部と、前記増幅決定部で増幅すると決定された場合に前記パワー変化率に基づいて増幅度を算出する増幅度算出部と、前記増幅度算出部で算出された増幅度に応じて入力音声を増幅する音声増幅部を含むようにした。これにより、駅構内などで、アナウンス音声と発車ベル等の警告音が重複しても、聞き落としやすい子音等を強調し、明瞭な音声を提供することができる。
【００１４】
また、放送装置において、入力された音声信号を並列に配置された通過帯域の異なる複数のフィルタに通過させるフィルタ部と、前記フィルタ部を通過したそれぞれの音声信号の特定の時刻の前後に複数の時間フレームを形成するフレーム分割部と、前記フレーム分割部で分割されたフレーム内の音声信号のパワーをそれぞれ算出するパワー算出部と、前記パワー算出部で算出されたそれぞれのパワーからパワーの変化率を算出するパワー変化率算出部と、前記パワー変化率算出部で算出されたパワー変化率から入力音声信号を増幅するか否かを決定する増幅決定部と、前記増幅決定部で増幅すると決定された場合に、前記フィルタ部を通過したそれぞれの音声信号に対するパワー変化率に基づいて増幅度を算出する増幅度算出部と、前記増幅度算出部で算出された増幅度に応じて入力音声を増幅する音声増幅部を含むようにした。これにより、駅構内などで、アナウンス音声と発車ベル等の警告音が重複しても、子音等の部分を正確に抽出及び強調し、明瞭な音声を提供することができる。
【００１５】
また、前記パワー変化率算出部が、前記パワー算出部で算出された前記フィルタ部を通過したそれぞれの音声信号に対するパワーの比率を算出し、この比率に基づいて前記パワー変化率を算出する構成とした。これにより、複数の周波数成分のパワーの比率を基に、より正確に子音等の部分を抽出及び強調し、明瞭な音声を提供することができる。
【００１６】
また、前記増幅度算出部が、前記フィルタ部を通過したそれぞれの音声信号に対するパワー変化率に基づいて算出された増幅度の平均値を増幅度とする構成にした。これにより、複数の周波数成分のパワーの比率を基に、子音の前後のパワー変化なども考慮した上で、子音等の部分を強調し、明瞭な音声を提供することができる。
【００１７】
また、前記増幅度算出部が、前記フィルタ部を通過したそれぞれの音声信号に対するパワー変化率に基づいて算出された増幅度の最大値を増幅度とする構成にした。これにより、複数の周波数成分のパワーの比率を基に、子音の前後のパワー変化なども考慮した上で、子音等の部分を強調し、明瞭な音声を提供することができる。
【００１８】
また、前記増幅決定部で増幅すると決定された場合に、前記特定の時刻の前後に音声信号の増幅区間を特定するための増幅区間特定部を備え、前記増幅区間内の音声信号に関して前記増幅度算出部で算出された増幅度の平均値を、前記増幅区間内の一部又は全部の音声信号に対する増幅度とする構成にした。これにより、子音開始時の端点だけでなく、その前後の音声成分をも同時に強調し、明瞭な音声を提供することができる。  
【００１９】
また、前記増幅決定部で増幅すると決定された場合に、前記特定の時刻の前後に音声信号の増幅区間を特定するための増幅区間特定部を備え、前記増幅区間内の音声信号に関して前記増幅度算出部で算出された増幅度の最大値を、前記増幅区間内の一部又は全部の音声信号に対する増幅度とする構成にした。これにより、子音開始時の端点だけでなく、その前後の音声成分をも同時に強調し、明瞭な音声を提供することができる。
【００２０】
また、放送装置において、並列に配置された互いに通過帯域が異なる複数のくし型フィルタからなるくし型フィルタユニットを備え、異なる音信号をそれぞれ異なる前記通過帯域が異なるくし型フィルタに通して出力する構成とした。これにより、アナウンス音声と警告音が、その構成周波数成分を同一帯域に有することなく、警告音と共に明瞭なアナウンス音声を提供することができる。
【００２１】
また、前記くし型フィルタユニットを、複数従属接続する構成とした。これにより、警告音や音声の特性に応じて、くし型フィルタ特性を変更できるようになり、状況に応じて、警告音と共に明瞭なアナウンス音声を提供することができる。
【００２２】
また、前記放送装置において、入力信号が音声信号の場合に、前記音声信号の特定の部分を増幅する音声強調部と、前記音声強調部における増幅度に応じて前記くし型フィルタの周波数特性を調整するフィルタ特性調整部を含むようにした。これにより、アナウンス音声を強調し、その強調度合いに応じて最適なくし型フィルタ特性を選択できるようになり、状況に応じて警告音と明瞭なアナウンス音声を提供することができる。
【発明の効果】
【００２３】
本発明の放送装置は、駅構内等の発車ベル等の警告音、報知音と、発車時のアナウンスが同時に鳴らされた場合に、音声内容の伝達にとって重要でありながら警告音等にかき消されがちなパワーが小さい音声の子音部等を、音声の短時間パワーの変化率に基づいて、選択的に、さらに最適な増幅度で強調するので、音声の音量を不必要に上げることなく、且つ、音声の自然性を損なわずにアナウンス等の内容を明瞭に伝達することができる。
【００２４】
従来、このような音声処理においては、パワーが小さい子音部等を正確に抽出することが困難であったが、本発明の放送装置は、複数のフィルタを通過した音声情報のパワーの変化率を複合的に参照することによって、パワーが小さい子音部等を正確に抽出、強調することが出来る。
【００２５】
また、子音部等のレベルや特性は、その音韻内容や発話者によって変化するので、常に最適な増幅度を適用するのは困難であったが、本発明の放送装置は、複数の周波数帯域から算出された増幅度の平均値や最大値を前記子音部等の増幅度とすることによって、当該子音部のレベルや特性などに応じて、常に最適な増幅度を適用し、音声の自然性を損なわずに明瞭なアナウンス音声を提供することができる。
【００２６】
本発明の放送装置は、音声信号の特定の時刻の前後に適当な時間幅の増幅区間を設け、その区間内で算出された増幅度の平均値や最大値を、前記増幅区間内の全ての音声信号に適用することによって、前記子音部等の端点のみならず、音声信号中の子音成分を余すことなく増幅することができるので、より明瞭なアナウンス音声を提供することができる。
【００２７】
本発明の放送装置は、アナウンス音声や警告音などの異なる音信号を通過帯域が異なるくし型フィルタに通すので、アナウンス音声と警告音を同時に鳴らしても両者の構成周波数帯域が重複することなく、アナウンス音声の音量を上げたり、アナウンス音声と警告音の提示時刻をずらさずとも、明瞭なアナウンス音声を提供することができる。
【００２８】
本発明の放送装置は、警告音や音声の特性に応じて、前記くし型フィルタ特性を変更できるので、音声の自然性を損なうことなく、明瞭なアナウンス音声を提供することができる。
【００２９】
アナウンス音声と警告音を通過帯域が異なるくし型フィルタに通すと、子音部等や警告音のレベルや特性によっては、アナウンス音声及び警告音の連続性が損なわれる場合があるが、本発明の放送装置は、音声の子音部等の強調処理を施したアナウンス音声と警告音を通過帯域が異なるくし型フィルタに通し、さらに警告音や音声の特性に応じて、前記くし型フィルタ特性を変更できるので、アナウンス音声や警告音の連続性が損なわれることなく、自然で明瞭なアナウンス音声と警告音を同時に提供することができる。
【発明を実施するための最良の形態】
【００３０】
以下、本発明を実施するための最良の形態を図面に基づいて詳細に説明する。なお、以下の説明において、同一機能を有するものは同一の符号とし、その繰り返しの説明は省略する。
【００３１】
図１は、本発明の実施形態におけるシステムのブロック図であり、入力音声Ｓの所定の周波数成分を通過させるフィルタ部１と、音声信号の特定の時刻の前後に複数の時間フレームを形成するフレーム分割部２と、前記フレーム分割部で分割されたフレーム内の音声信号のパワーをそれぞれ算出するパワー算出部３と、前記パワー算出部で算出されたそれぞれのパワーからパワーの変化率を算出するパワー変化率算出部４と、前記パワー変化率算出部で算出されたパワー変化率から入力音声信号を増幅するか否かを決定する増幅決定部５と、前記増幅決定部で増幅すると決定された場合に前記パワー変化率に基づいて増幅度を算出する増幅度算出部６と、前記増幅度算出部で算出された増幅度に応じて入力音声を増幅する音声増幅部７から構成されている。
【００３２】
ここでフィルタ部１の周波数特性は、音声の音節構造を分かりやすくするために、音声の母音の音エネルギーがある1000 Hz 付近にピークを持ち、3000 Hz 以上の成分を殆ど通さないような周波数特性とする。
【００３３】
フレーム分割部２は、図２に示すように、フィルタを通過した音声Sfの時刻tの前後に、例えばそれぞれ 15 ms のフレーム（時間窓） W1、W2 を形成する。このフレームは、連続的に（１サンプルずつ）時間軸上を移動する。パワー算出部３は急激にレベルが増加、または減少する部分を見つけるために、W1、W2内のパワーをそれぞれ算出する。
【００３４】
パワー変化率算出部４は、 W1 の平均パワーをpf1(t)、W2 の平均パワー をpf2(t) として変化率を算出する。本実施例では、この変化率の算出に、例えば、以下の式を使用する。    
【数１】
2008085520.tif 000003
【００３５】
q(t) は -1〜1 の値を取り、時刻 t の近傍におけるパワーの変化がなければ 0、パワーの減少に対しては正、増加に対しては負となる。増幅決定部５は、このq(t)の値を参照し、パワーの変化がなければ増幅しないなどの決定を行う。
【００３６】
増幅度算出部６は、増幅決定部５で増幅すると決定された場合に、q(t)をパラメータとして、W1、W2 の境界となる時刻 t におけるパワーの変化率が大きい時には、その時刻における音声信号の増幅度を上げる（子音・音節端の強調）。
【００３７】
本実施例では、例えば、入力音声Sの振幅を n^{q(t)^2} 倍するという操作によって、音声増幅部７においてパワーの変化が大きい部分のみを増幅することができる（1<n、例えば n=4 とする。振幅を n 倍することが、増幅の上限となる）。
【００３８】
図３は、本発明の第２の実施形態におけるシステムのブロック図であり、図１の実施の形態におけるフィルタ部が、通過帯域の異なる複数のフィルタで構成されている。
【００３９】
人間が騒音下で音声を聴取、認識する際には、音声の端点を正確に認識することが最も重要であり、その部分が認識できれば、後に続く音節ないし音脈を知覚することは極めて容易となることが知られている。
【００４０】
本発明は、このような、人間の既知の聴覚的特性に鑑みて為されたものであり、単に子音を強調し、その明瞭度のみを上げることを目的とするのではなく、警告音等に聴取を妨げられる子音等の音声の端点を確実に聴き取らせ、その後に続く音節ないし音脈の知覚的体制化を容易にするためのものである。
【００４１】
例えば、本実施例では、図３のフィルタ部を音声の母音の音エネルギーがある1000 Hz 付近にピークを持ち、3000 Hz 以上の成分を殆ど通さないような周波数特性を有するフィルタと、8000 Hz 以下の成分をほぼ均等に通すフィルタの２種類のフィルタによる構成とする。
【００４２】
この２種類のフィルタ出力より、図１と同様の方法でそれぞれパワー変化率を算出し、それぞれ増幅決定部５で増幅するか否かの決定をした上で、増幅することが決定された際には、それぞれのパワー変化率に基づいて、最も適した最終的な増幅度を決定する。
【００４３】
図４に示す第３の実施形態におけるシステムのブロック図では、例えば、8000 Hz 以下の成分をほぼ均等に通すフィルタを通した時に得られる信号 S0 の W1、W2 における平均パワーを p01(t)、p02(t) とする。
【００４４】
ここで、各フィルタ部を通過したそれぞれの音声信号に対するパワーの比率をp1(t)=pf1(t)/p01(t)、p2(t)=pf2(t)/p02(t) とすると、
【数２】
2008085520.tif 000004
は、自乗することによって音声スペクトル中の第１フォルマント、第２フォルマントの代表される母音らしさに関連付けられているパワーの、音全体に占める比率がどのくらい急激に変化しているかを表すので、q(t)と同様に子音、音節端を抽出し、増幅するか否かの決定や増幅度の算出に使用することができる。
【００４５】
なお、q(t)、u(t)はそれぞれ単独でも使うことができるし、r1(t) = 1/{n^(q(t)^2)} と、r2(t) = 1/{n^(u(t)^2)}との平均値もしくは加重平均値を採用したり、両者のうち小さな値を取ったりすることによって、併用することもできる。
【００４６】
図５は、本発明の第４の実施形態におけるシステムのブロック図であり、増幅するための時間幅を特定する増幅区間特定部８が設けられている。
【００４７】
音声の端点をより明瞭に認識するためには、パワーの変化が大きい時点だけでなく、その時点の近傍にも重要な情報が含まれる。本実施例では、例えば、tの前後 7 ms （計 14 ms）の増幅区間（時間窓）を取って、 r(t) = 1/{n^(q(t)^2)} の代表値c(t) を求める（t-0.007〜t+0.007 秒の範囲における r の値を平均したり、両者のうちの小さな値を取って時刻 t の近傍における r の代表値 c(t) とする。すなわち、時間窓 14 ms の移動平均）。この場合は、増幅度算出部６では、c(t)の逆数を増幅度とする。
【００４８】
図６は、本発明の第５の実施形態におけるシステムのブロック図であり、並列に配置された互いに通過帯域が異なる複数のくし型フィルタからなるくし型フィルタユニット９に対し、音声信号と警告音信号をそれぞれ異なるくし型フィルタに通して出力している。
【００４９】
本実施例では、音声を知覚する上で特に重要な 3500 Hz 以下の帯域において、音声信号と発車ベルとをくし型フィルタに通している。この場合のくしの通常帯域に当たる帯域幅を、臨界帯域程度、あるいはそれよりも大きくし、二つのフィルタの通過帯域を交互に組み合わせる。このことによって、両信号に極端なレベル差がない限り、どちらの信号も交互の帯域で聴きとられることが保証される。
【００５０】
時刻 t秒における入力信号を x(t) とし、出力信号を y(t) とする。0、 1100、 2200... Hz の付近の成分を残し、550、 1650、 2750... Hz の付近の成分を抑えるようなフィルターは、
【数３】
2008085520.tif 000005
によって得られる。
【００５１】
逆に0、 1100、 2200... Hz の付近の成分を抑え、550、 1650、 2750... Hz の付近の成分を残すようなフィルターは、
【数４】
2008085520.tif 000006
によって得られる。
【００５２】
図７、図８に、数３、数４で表されたくし型フィルタの周波数特性をそれぞれ示す。本実施例では、音声信号に図７の、警告音に図８のフィルタを用いることを想定しているが、それぞれのフィルタに異なる警告音信号を通すなど、さまざまな変形がありうる。
【００５３】
図９は、本発明の第６の実施形態におけるシステムのブロック図であり、並列に配置された互いに通過帯域が異なる複数のくし型フィルタで構成されたくし型フィルタユニット９を複数従属接続している。
【００５４】
警告音とアナウンス音声とを聴覚的に分離するためには、単一のくし型フィルタでは充分ではない場合があるので、フィルタを従属接続することによって、特性を変えることができるフィルタ構成としている。
【００５５】
図１０は、本発明の第７の実施形態におけるシステムのブロック図であり、音声強調部１０とフィルタ特性調整部１１が設けられている。第５の実施の形態及び第６の実施の形態のように、通過帯域が異なるくし型フィルタをアナウンス音声と警告音に交互に適用すると、くし型フィルタの特性によっては、パワーが小さい音声の子音部等の情報を損ない、音声の連続性が失われてしまう場合があるので、くし型フィルタへの入力の前段で子音部を強調する。
【００５６】
本実施例では、音声強調部１０を第１〜第４の実施の形態で述べたような音声強調方式を使用するものとする。
【００５７】
第１〜第４の実施の形態で述べたような音声強調（子音強調、音節端強調）を受けた部分に、このようなくし型フィルタをかけると、音声としての自然さを著しく減じてしまうので、そのような部分についてはフィルタ特性調整部１１でフィルタのかかり具合を弱める。
【００５８】
そのためには、強調の程度を示す c(t) を 0〜1 の変域に置きかえることが、計算上都合がよいので、例えば、
【数５】
2008085520.tif 000007
を算出する。c(t) は 1/n  〜 1 の値を取り、この値が１未満のときに強調がなされるのであるが、Q(t) は 0〜1 の値を取り、この値が１未満のときに強調がなされる。この値の小さいほど強調の程度（増幅度）が大きくなる。
【００５９】
図７、図８に示したフィルタの代わりに、
【数６】
2008085520.tif 000008
あるいは、
【数７】
2008085520.tif 000009
【００６０】
なお、本実施例では、アナウンス音声と警告音に対して、常に音声強調処理およびくし型フィルタ処理を行うように想定されているが、両信号がやむをえず重なった時にのみ、本発明の方式を用いても良い。  
【００６１】
また、本実施例では、音声信号と警告音信号をそれぞれ異なるくし型フィルタに通して出力しているが、これは、銀行のATM機が複数並んで同時にガイド音声を発しているようなケースで、それぞれのガイド音声をそれぞれ異なるくし型フィルタに通して出力し、各ATM機の使用者が、それぞれのガイド音声を明瞭に聞き取れるようにするような構成としても良い。
【００６２】
また、本実施例では、くし型フィルタを構成する際に、くし状の周波数ノッチを線形周波数スケール上で周波数的に等間隔に配置しているが、これはアナウンス音声と警告音の周波数成分が重なり合わねば良いので、周波数スケールを対数スケールやバークスケールとしてくし型フィルタを構成しても良い。
【図面の簡単な説明】
【００６３】
【図１】本発明の第１の実施形態におけるシステムのブロック図
【図２】フレーム分割部の一例
【図３】本発明の第２の実施形態におけるシステムのブロック図
【図４】本発明の第３の実施形態におけるシステムのブロック図
【図５】本発明の第４の実施形態におけるシステムのブロック図
【図６】本発明の第５の実施形態におけるシステムのブロック図
【図７】くし型フィルタの周波数特性の一例
【図８】くし型フィルタの周波数特性の一例
【図９】本発明の第６の実施形態におけるシステムのブロック図
【図１０】本発明の第７の実施形態におけるシステムのブロック図
【図１１】かかり具合を減じた場合のくし型フィルタの周波数特性の一例
【符号の説明】
【００６４】
１…フィルタ部、  ２…フレーム分割部、  ３…パワー算出部、  ４…パワー変化率算出部、  ５…増幅決定部、  ６…増幅度算出部、  ７…音声増幅部、  ８…増幅区間特定部、  ９…くし型フィルタユニット、  １０…音声強調部、  １１…フィルタ特性調整部
【図１】
2008085520.tif 000010
【図２】
2008085520.tif 000011
【図３】
2008085520.tif 000012
【図４】
2008085520.tif 000013
【図５】
2008085520.tif 000014
【図６】
2008085520.tif 000015
【図７】
2008085520.tif 000016
【図８】
2008085520.tif 000017
【図９】
2008085520.tif 000018
【図１０】
2008085520.tif 000019
【図１１】
2008085520.tif 000020